(57)【特許請求の範囲】
【請求項１】
風通路を有する筐体と、
上記筐体内に配置され、上記風通路に風を送る送風装置と、
上記風通路内に配置されたヒータと、
少なくともマイナスイオンを生成するイオン発生部を有し、上記イオン発生部が上記風通路内に配置されたイオン発生装置と、
上記筐体内に設けられ、上記イオン発生装置のイオン発生部を通過する風の風速を増速させる風速増速部と
を備え、
上記風速増速部は、上記風通路において少なくとも上記イオン発生部よりも通風方向の上流に設置され、上記筐体内壁に起点を有し先端に上記イオン発生部を近接した仕切板であることを特徴とするヘアドライヤ。
【請求項２】
風通路を有する筐体と、
上記筐体内に配置され、上記風通路に風を送る送風装置と、
上記風通路内に配置されたヒータと、
少なくともマイナスイオンを生成するイオン発生部を有し、上記イオン発生部が上記風通路内に配置されたイオン発生装置と、
上記筐体内に設けられ、上記イオン発生装置のイオン発生部を通過する風の風速を増速させる風速増速部と
を備え、
上記筐体は、上記風通路に対応する第１の吸込口と、上記第１の吸込口の開口面積よりも開口面積が絞られ、上記風速増速部に専ら対応する第２の吸込口とを有し、
上記風速増速部は、上記筐体内かつ上記イオン発生装置のイオン発生部の少なくとも上流側に設けられ、上記送風装置により上記第２の吸込口から上記イオン発生装置のイオン発生部に風を送るための風速増速用風通路であることを特徴とするヘアドライヤ。
【発明の詳細な説明】
【技術分野】
【０００１】
この発明は、ヘアドライヤに関する。
【背景技術】
【０００２】
従来、ヘアドライヤとしては、プラスイオンとマイナスイオンを生成するイオン発生装置が搭載されたものがある(例えば、特開２００８−０４９１０１号公報(特許文献１)参照)。
【０００３】
ところで、上記ヘアドライヤでは、プラスイオンとマイナスイオンの両方を１つのイオン発生装置で生成されることが多く、プラスイオン発生部とマイナスイオン発生部が比較的近くに配置されている。また、別々のイオン発生装置でプラスイオンとマイナスイオンが生成されるヘアドライヤであっても、２つのイオン発生装置が比較的近くに配置されている。このようなヘアドライヤにおいて、イオン発生装置で生成されたプラスイオンとマイナスイオンは、ヘアドライヤの送風ファンより生成された風により下流へ流れて吹き出す。
【０００４】
ここで、ヘアドライヤの風速が遅い場合、プラスイオンとマイナスイオンの両方がイオン発生部近傍に滞留してしまうことでイオン発生が抑制されたり中和されたりするため、吐出されるイオン量が減ってしまうといった問題がある。
【先行技術文献】
【特許文献】
【０００５】
【特許文献１】特開２００８−０４９１０１号公報
【発明の概要】
【発明が解決しようとする課題】
【０００６】
そこで、この発明の課題は、イオン量を増大できるヘアドライヤを提供することにある。
【課題を解決するための手段】
【０００７】
上記課題を解決するため、この発明のヘアドライヤは、
風通路を有する筐体と、
上記筐体内に配置され、上記風通路に風を送る送風装置と、
上記風通路内に配置されたヒータと、
少なくともマイナスイオンを生成するイオン発生部を有し、上記イオン発生部が上記風通路内に配置されたイオン発生装置と、
上記筐体内に設けられ、上記イオン発生装置のイオン発生部を通過する風の風速を増速させる風速増速部と
を備え、
上記風速増速部は、上記風通路において少なくとも上記イオン発生部よりも通風方向の上流に設置され、上記筐体内壁に起点を有し先端に上記イオン発生部を近接した仕切板であることを特徴とする。
【０００８】
上記構成によれば、筐体内に設けられた風速増速部によって、送風装置により風通路に送られた風がイオン発生装置のイオン発生部を通過するときの風速を増速させる。これにより、イオン発生装置のイオン発生部近傍でのマイナスイオンの滞留によってイオン発生が抑制されるのを防ぐことにより、イオン発生部から次々にマイナスイオンが吐出されるので、イオン量を増大させることができる。特に、イオン発生装置のイオン発生部からマイナスイオンとプラスイオンの両方が発生する場合、イオン発生装置のイオン発生部近傍でのマイナスイオンとプラスイオンの滞留によってイオン発生が抑制されたり中和されたりするのを防ぐことにより、イオン発生部から次々に両イオンが吐出されるので、イオン量を増大させることができる。したがって、マイナスイオンとプラスイオンがイオン発生部近傍で滞留するのを抑制して、マイナスイオンとプラスイオンの消滅率を軽減することによりイオン量を増大できる。これにより、大量のプラスイオンとマイナスイオンとが同時に毛髪に供給することが可能になり、毛髪に帯びた静電気の電荷を中和することにより静電気を除去して、髪のまとまりを良くできる。
【０００９】
【００１０】
【００１１】
【００１２】
【００１３】
【００１４】
【００１５】
また、この発明のヘアドライヤでは、
風通路を有する筐体と、
上記筐体内に配置され、上記風通路に風を送る送風装置と、
上記風通路内に配置されたヒータと、
少なくともマイナスイオンを生成するイオン発生部を有し、上記イオン発生部が上記風通路内に配置されたイオン発生装置と、
上記筐体内に設けられ、上記イオン発生装置のイオン発生部を通過する風の風速を増速させる風速増速部と
を備え、
上記筐体は、上記風通路に対応する第１の吸込口と、上記第１の吸込口の開口面積よりも開口面積が絞られ、上記風速増速部に専ら対応する第２の吸込口とを有し、
上記風速増速部は、上記筐体内かつ上記イオン発生装置のイオン発生部の少なくとも上流側に設けられ、上記送風装置により上記第２の吸込口から上記イオン発生装置のイオン発生部に風を送るための風速増速用風通路である。
【００１６】
上記構成によれば、筐体内に設けられた風速増速部によって、送風装置により風通路に送られた風がイオン発生装置のイオン発生部を通過するときの風速を増速させる。これにより、イオン発生装置のイオン発生部近傍でのマイナスイオンの滞留によってイオン発生が抑制されるのを防ぐことにより、イオン発生部から次々にマイナスイオンが吐出されるので、イオン量を増大させることができる。特に、イオン発生装置のイオン発生部からマイナスイオンとプラスイオンの両方が発生する場合、イオン発生装置のイオン発生部近傍でのマイナスイオンとプラスイオンの滞留によってイオン発生が抑制されたり中和されたりするのを防ぐことにより、イオン発生部から次々に両イオンが吐出されるので、イオン量を増大させることができる。したがって、マイナスイオンとプラスイオンがイオン発生部近傍で滞留するのを抑制して、マイナスイオンとプラスイオンの消滅率を軽減することによりイオン量を増大できる。これにより、大量のプラスイオンとマイナスイオンとが同時に毛髪に供給することが可能になり、毛髪に帯びた静電気の電荷を中和することにより静電気を除去して、髪のまとまりを良くできる。
また、送風装置によりイオン発生装置のイオン発生部に風を送るための風速増速用風通路を、風速増速部として筐体内かつイオン発生装置のイオン発生部の少なくとも上流側に設けることによって、筐体内に本来の風通路とは別に風速増速用風通路を設けるので、本来の風通路内の送風量に影響を及ぼすことなく、イオン発生装置のイオン発生部を通過する風の風速を増速させることができる。
【発明の効果】
【００１７】
以上より、この発明のヘアドライヤによれば、イオン量を増大できるヘアドライヤを実現することができる。
【図面の簡単な説明】
【００１８】
【図１】図１はこの発明の第１実施形態のヘアドライヤの斜視図である。
【図２】図２は上記ヘアドライヤの後面図である。
【図３】図３は図２のIII−III線から見たヘアドライヤの縦断面図である。
【図４】図４はイオン発生装置が取り付けられていない状態で後部側の吸気フィルタが外されたヘアドライヤを後方から見たときの斜視図である。
【図５】図５はイオン発生装置が取り付けられた状態で後部側の吸気フィルタが外されたヘアドライヤを後方から見たときの斜視図である。
【図６】図６はイオン発生装置を前面側(吐出口に対向する側)から見たときの斜視図である。
【図７】図７はこの発明の第２実施形態のヘアドライヤの後面図である。
【図８】図８は図７のXIII−XIII線から見たヘアドライヤの縦断面図である。
【図９】図９はこの発明の第３実施形態のヘアドライヤの後面図である。
【図１０】図１０は図９のＸ−Ｘ線から見たヘアドライヤの縦断面図である。
【図１１】図１１はこの発明の第４実施形態のヘアドライヤの縦断面図である。
【図１２】図１２は他の実施形態のヘアドライヤの縦断面の模式図である。
【図１３】図１３は他の実施形態のヘアドライヤの縦断面の模式図である。
【図１４】図１４は他の実施形態のヘアドライヤの縦断面の模式図である。
【図１５】図１５は他の実施形態のヘアドライヤの縦断面の模式図である。
【発明を実施するための形態】
【００１９】
以下、この発明のヘアドライヤを図示の実施の形態により詳細に説明する。
【００２０】
〔第１実施形態〕
図１はこの発明の第１実施形態のヘアドライヤの斜視図を示している。
【００２１】
この第１実施形態のヘアドライヤは、図１に示すように、先細りの略円筒形状の筐体１と、筐体１に回動自在に接続されたハンドル２と、筐体１の後部側(図１において右側)に着脱可能に取り付けられた吸気フィルタ３とを備える。
【００２２】
上記筐体１は、耐熱性に優れたプラスチックからなり、略円筒形状の筐体１内の風通路Ｐ１の下流側(筐体１の前面側)に設けられた吐出口１１と、風通路Ｐ１の上流側(筐体１の後面側)の吸気フィルタ３に設けられた吸込口１２とを有している。この筐体１内に配置された送風装置の一例としての送風ファン６(図３に示す)により、吸込口１２から吸い込まれた空気が風通路Ｐ１を介して吐出口１１から吹き出すようになっている。
【００２３】
上記ハンドル２は、継手構造で筐体１の下側に接続されて、筐体１に対して矢印Ｒ１の方向に折りたたみ可能になっている。上記記ハンドル２は、筐体１に対して折りたたまれた状態で収容される。
【００２４】
上記ハンドル２の前面側かつハンドル２の長さ方向の中央部付近にスライドスイッチ式の操作部１７を設けている。また、ハンドル２の後面側に電源コード４の一端が接続されている。
【００２５】
また、上記吸気フィルタ３は、金属またはプラスチックからなっている。この吸気フィルタ３に網目状や格子状の複数の孔を設けることにより吸込口１２を形成している。上記吸気フィルタ３は、埃等大きな異物が入らないようにすると共に、動作中に誤って指が風通路Ｐ１内に入って送風ファン６(図３に示す)に触れることがないように保護する。
【００２６】
また、図２は上記ヘアドライヤの後面図を示している。なお、図２では、ハンドル２の電源コード４(図１に示す)を省略している。
【００２７】
図２に示すように、筐体１の後面側の吸気フィルタ３は、上下方向が長い楕円形状をしており、下側が円弧で切り欠かれている。
【００２８】
図３は図２のIII−III線から見たヘアドライヤの縦断面図を示している。なお、図２では、ハンドル２の電源コード４(図１に示す)を省略している。
【００２９】
図３に示すように、このヘアドライヤは、風通路Ｐ１内に配置されたヒータ５と、風通路Ｐ１に風を送る送風装置としての送風ファン６と、マイナスイオンとプラスイオンとを生成するイオン発生部８を有するイオン発生装置７と、イオン発生装置７の風下側に配置された風速増速部の一例としての集風部２０とを備える。この集風部２０は、吸込口１２側から吐出口１１側に向かって先細りのラッパ形状をしている。上記ヒータ５と送風ファン６と集風部２０とイオン発生装置７を、吐出口１１側から順に筐体１内に配置している。また、集風部２０の上流側の開口に、イオン発生装置７の風下側の一部(イオン発生部８を含む)が没入している。
【００３０】
上記筐体１の内部には、送風ファン６を駆動するための図示しないファンモータ、配線、仕切板１０などが設けられている。
【００３１】
ユーザは、操作部１７を操作することによって、ファンモータの回転速度を複数段階(例えば、「強」,「弱」の２段階)に調整することにより、吹き出し風の強さを調整できるようになっている。また、ユーザは、操作部１７を操作することによって、ヒータ５のオンオフを選択して、冷風を吹き出すか温風を吹き出すかを適宜選択できるようになっている。
【００３２】
図４はイオン発生装置７が取り付けられていない状態で後部側の吸気フィルタ３(図１に示す)が外されたヘアドライヤを後方から見たときの斜視図を示している。また、図５はイオン発生装置７が取り付けられた状態で後部側の吸気フィルタ３(図１に示す)が外されたヘアドライヤを後方から筐体１内を見たときの斜視図を示している。なお、図４,図５では、ハンドル２を省略している。
【００３３】
図４に示すように、このヘアドライヤは、送風ファン６の上流側(吸込口１２側)かつ筐体１内の下側にイオン発生装置７を嵌め込む凹部１３を設けている。この凹部１３にイオン発生装置７を後面側から前面側に向かって容易に嵌め込み可能に、かつ、その凹部１３からイオン発生装置７を容易に取り外し可能になっている。このようにして、イオン発生装置７のメンテナンスまたは取り換えを容易に行える。なお、図４および図５において、１４は係止部である。この係止部１４は、吸気フィルタ３を筐体１の後部側に係止するのに使用される。
【００３４】
図６はイオン発生装置７を前面側(吐出口１１に対向する側)から見たときの斜視図を示している。
【００３５】
図６に示すように、イオン発生装置７のイオン発生部８は、プラスイオンを発生するプラスイオン発生部１５とマイナスイオンを発生するマイナスイオン発生部１６からなる。このプラスイオン発生部１５とマイナスイオン発生部１６は、イオン発生装置７の前面側に互いに所定の間隔をあけて設けられている。
【００３６】
詳しくは、上記プラスイオン発生部１５は、先端が尖った針形状の針電極１５aと、その針電極１５aを取り囲むように配置されたドーナツ円板状の誘導電極１５bとを有している。上記針電極１５aは、ドーナツ円板状の誘導電極１５bの略中心に位置している。上記針電極１５aと誘導電極１５bの内周縁との間隔は８ｍｍに設定されている。
【００３７】
上記プラスイオン発生部１５では、例えば、針電極１５aに実効電圧２ｋＶ以上の電圧と、０Ｖとが切り替わる６０Ｈz(または５０Ｈz)の交流が印加される一方、誘導電極１５bには、０Ｖの直流が印加される。針電極１５aに実効電圧２ｋＶ以上が印加されているときに、針電極１５aと誘導電極１５bとの間の電位差によるコロナ放電がおこり、針電極１５aの先端部近傍で空気中の水分子が電離して、水素イオン(Ｈ＋)が生成する。この水素イオンが空気中の水分子と群状態で結合(クラスタリング)し、Ｈ＋(Ｈ２Ｏ)ｍからなるプラスイオンが発生する(ｍは任意の自然数)。
【００３８】
一方、上記マイナスイオン発生部１６も、先端が尖った針形状針電極１６aと、その針電極１６aを取り囲むように配置されたドーナツ円板状の誘導電極１６bとを有している。上記針電極１６aは、ドーナツ円板状の誘導電極１６bの略中心に位置している。上記誘導電極１６bと針電極１６aの内周縁との間隔は８ｍｍに設定されている。
【００３９】
上記マイナスイオン発生部１６では、例えば、針電極１６aに実効電圧−２ｋＶ以下の電圧と、０Ｖとが切り替わる６０Ｈz(または５０Ｈz)の交流が印加される一方、誘導電極１６bには、０Ｖの直流が印加されるようになっており、マイナスイオンが発生するようになっている。このマイナスイオンは、空気中の酸素分子または水分子が電離してできる酸素イオンＯ２−である。この酸素イオンが空気中の水分子と結合(クラスタリング)してＯ２−(Ｈ２Ｏ)ｎからなる負イオンが発生する(ｎは任意の自然数)。
【００４０】
この第１実施形態では、プラスイオン発生部１５とマイナスイオン発生部１６は、ユーザによる操作部１７の操作によってプラスイオン発生部１５とマイナスイオン発生部１６の両方に通電して、プラスイオンとマイナスイオンを同時に発生させ、ヘアドライヤから吐出される風(温風や冷風)にプラスイオンとマイナスイオンの両方を混合する。
【００４１】
なお、図６に示すイオン発生装置７では、プラスイオン発生部１５とマイナスイオン発生部１６を本体部と一体に形成したが、イオン発生装置の本体部とイオン発生部は、別体であってもよく、例えばイオン発生部のみを風通路内に配置してもよい。
【００４２】
上記構成のヘアドライヤによれば、筐体１内に設けられた風速増速部である集風部２０によって、送風ファン６により風通路Ｐ１に送られた風がイオン発生装置７のイオン発生部８を通過するときの風速を増速させる。これにより、イオン発生装置７のイオン発生部８近傍でのマイナスイオンとプラスイオンの滞留によってイオン発生が抑制されたり中和されたりするのを防ぐことにより、イオン発生部８から次々に両イオンが吐出されるので、イオン量を増大させることができる。
【００４３】
したがって、マイナスイオンとプラスイオンがイオン発生部８近傍で滞留するのを抑制して、マイナスイオンとプラスイオンの消滅率を軽減することによりイオン量を増大できる。これにより、大量のプラスイオンとマイナスイオンとを同時に毛髪に供給することが可能になり、毛髪に帯びた静電気の電荷を中和することにより静電気を除去して、髪のまとまりを良くできる。
【００４４】
また、上記イオン発生装置７のイオン発生部８に風を集める集風部２０を風通路Ｐ１内に設けることによって、簡単な構成でイオン発生部８を通過するときの風速を増速させることができる。
【００４５】
ここで、イオン発生装置のイオン発生部を通過するときの風速を増速させたときのイオン濃度の変化について本出願人が行った実験内容を以下に説明する。
【００４６】
この実験では、従来の構成のヘアドライヤにおいて、プラスイオンとマイナスイオンとを発生するイオン発生装置を風通路内に配置して、ヒータをオフにした冷風時の風量を変化させたときのプラスイオン濃度,マイナスイオン濃度と、ヒータをオンにした温風時の風量を変化させたときのプラスイオン濃度,マイナスイオン濃度について実験を行った結果を表１に示す。
【００４７】
この実験の測定環境は、気温２２℃で相対湿度は６８％である。また、表１において、「ノーマル」とは通常風量の送風モードであり、「ターボ」とは、「ノーマル」の通常風量よりも１５％程度風量を多くした送風モードである。
【００４８】
【表１】
0005986735.tif 000002
【００４９】
表１から明らかなように、冷風と温風のどちらにおいても、「ターボ」のとき(すなわち風速を速くしたとき)に、プラスイオン濃度,マイナスイオン濃度が上昇することが分かった。このプラスイオン濃度,マイナスイオン濃度が上昇する理由は、マイナスイオンとプラスイオンがイオン発生部近傍で滞留するのを抑制して、マイナスイオンとプラスイオンの消滅率を軽減すると共に、イオン発生部で発生したイオンが次々に風に飛ばされて、イオン発生部で新たなイオンが生成されることによりイオン量が増えたものと推定される。
【００５０】
本出願人は、このような実験結果に着目して、イオン発生装置のイオン発生部を通過するときの風速を増速させる風速増速部を用いることによって、イオン量を増大できるヘアドライヤを発明したものである。
【００５１】
〔第２実施形態〕
図７はこの発明の第２実施形態のヘアドライヤの後面図を示し、図８は図７のXIII−XIII線から見たヘアドライヤの縦断面図を示している。この第２実施形態のヘアドライヤは、吸気フィルタの吸込口を除いて第１実施形態のヘアドライヤと同一の構成をしており、同一構成部は同一参照番号を付して説明を省略する。
【００５２】
この第２実施形態のヘアドライヤは、図７に示すように、吸気フィルタ１０３に第１実施形態の吸込口１２よりも開口面積が絞られた吸込口１１２を形成している。
【００５３】
これにより、図８に示すように、風速増速部として筐体１かつ風通路Ｐ１の上流側に設けられた吸込口１１２は、開口面積が絞られているため、吸い込みの風速が増大することになる。したがって、吸込口の形状を変更するだけでイオン発生装置７のイオン発生部８を通過するときの風速を増速させることができる。
【００５４】
このように、上記第２実施形態のヘアドライヤによれば、マイナスイオンとプラスイオンがイオン発生部８近傍で滞留するのを抑制して、マイナスイオンとプラスイオンの消滅率を軽減することによりイオン量を増大することができる。
【００５５】
上記第２実施形態のヘアドライヤは、第１実施形態のヘアドライヤと同様の効果を有する。
【００５６】
ここで、風速増速部は、筐体に形成可能な最大開口面積の開口よりも開口面積が絞られた吸込口であればよい。なお、筐体に形成可能な最大開口面積の開口とは、送風装置の送風性能や筐体,風通路の構造に応じた流路損失が最も少なくなる最大開口面積の吸込口である。
【００５７】
〔第３実施形態〕
図９はこの発明の第３実施形態のヘアドライヤの後面図を示し、図１０は図９のＸ−Ｘ線から見たヘアドライヤの縦断面図を示している。この第３実施形態のヘアドライヤは、吸気フィルタおよび風通路を除いて第１実施形態のヘアドライヤと同一の構成をしており、同一構成部は同一参照番号を付して説明を省略する。
【００５８】
この第３実施形態のヘアドライヤは、図９に示すように、吸気フィルタ３の吸込口１２下側に吸込口３０を形成している。
【００５９】
また、図１０に示すように、筐体１内の吸込口１２から吸い込まれた空気が吐出口１１に流れる風通路Ｐ１１と、筐体１内かつイオン発生装置７のイオン発生部８の少なくとも上流側に風速増速用風通路Ｐ１２とを有している。この風速増速用風通路Ｐ１２は、送風ファン６により吸込口３０から吸い込まれたイオン発生装置７のイオン発生部８に風を送る。
【００６０】
ここで、風通路Ｐ１１の風速よりも風速増速用風通路Ｐ１２の風速が速くなるように、筐体設計を行う。ここでは、風通路Ｐ１１に対応する吸込口１２よりも風速増速用風通路Ｐ１２に対応する吸込口３０の開口面積を小さくすることにより、風速増速用風通路Ｐ１２の風速を速めている。
【００６１】
上記第３実施形態のヘアドライヤによれば、送風ファン６によりイオン発生装置７のイオン発生部８に風を送るための風速増速用風通路Ｐ１２を、風速増速部として筐体１内かつイオン発生装置７のイオン発生部８の上流側に設けることによって、筐体１内に通路Ｐ１１とは別に風速増速用風通路Ｐ１２を設けるので、本来の風通路Ｐ１１内の送風量に影響を及ぼすことなく、イオン発生装置７のイオン発生部８を通過する風の風速を増速させることができる。
【００６２】
上記第３実施形態のヘアドライヤは、第１実施形態のヘアドライヤと同様の効果を有する。
【００６３】
〔第４実施形態〕
図１１はこの発明の第４実施形態のヘアドライヤの後面図を示している。この第４実施形態のヘアドライヤは、集風部の代わりに絞り部を用いた点を除いて第１実施形態のヘアドライヤと同一の構成をしており、同一構成部は同一参照番号を付して説明を省略する。
【００６４】
この第４実施形態のヘアドライヤは、図１１に示すように、通路断面積を狭くする絞り部４０を、風速増速部として風通路Ｐ２１内かつイオン発生装置７のイオン発生部８近傍に設けることによって、簡単な構成でイオン発生部８を通過するときの風速を増速させることができる。
【００６５】
上記第４実施形態のヘアドライヤは、第１実施形態のヘアドライヤと同様の効果を有する。
【００６６】
なお、上記第１〜第４実施形態では、集風部２０,吸込口１１２,風速増速用風通路Ｐ１２および絞り部４０を風速増速部として用いたが、これに限らず、他の形態の風速増速部を備えたヘアドライヤであってもよい。
【００６７】
例えば、図１２は他の実施形態のヘアドライヤの縦断面の模式図を示しており、このヘアドライヤは、集風部２０の代わりに風速増速部の一例としての仕切板５０を用いた点およびイオン発生装置１０７を除いて第１実施形態のヘアドライヤと同一の構成をしており、同一構成部は同一参照番号を付して説明を省略する。
【００６８】
図１２に示すように、イオン発生装置１０７のイオン発生部１０８は、先端が尖った針形状の針電極と、その針電極を取り囲むように配置されたドーナツ円板状の誘導電極とを有している。このイオン発生装置１０７の針電極の突出する向きが、吐出口１１側ではなく、吸込口１２側から吐出口１１側に向かう方向に対して略直角方向かつ上方に向かって突出している。
【００６９】
ここで、筐体１の内側かつイオン発生装置１０７のイオン発生部１０８に対向する側に、風通路Ｐ１の一部を塞ぐように立設する風速増速部の一例としての仕切板５０を設けている。
【００７０】
また、図１３は他の実施形態のヘアドライヤの縦断面の模式図を示しており、このヘアドライヤは、仕切板の代わりに風速増速部の一例としての集風部６０を用いた点を除いて図１２に示すヘアドライヤと同一の構成をしており、同一構成部は同一参照番号を付して説明を省略する。
【００７１】
図１３に示すように、風通路Ｐ１内かつ吸込口１２側に、吸込口１２側から吐出口１１側に向かって先細りのラッパ形状の風速増速部の一例として集風部６０を設けている。また、集風部６０の下流側の開口近傍に、イオン発生装置１０７のイオン発生部１０８が配置されている。上記集風部６０によって、送風ファン６により風通路Ｐ１に送られた風がイオン発生装置１０７のイオン発生部１０８を通過するときの風速を増速させる。
【００７２】
また、図１４は他の実施形態のヘアドライヤの縦断面の模式図を示しており、このヘアドライヤは、仕切板の代わりに風速増速部の一例としてのガイド部７０を用いた点を除いて図１２に示すヘアドライヤと同一の構成をしており、同一構成部は同一参照番号を付して説明を省略する。
【００７３】
図１４に示すように、風通路Ｐ１内かつ吸込口１２側に、上側から斜め前方に向かって傾斜するように風速増速部の一例として板状のガイド部７０を設けている。また、ガイド部７０の下端側の開口近傍に、イオン発生装置１０７のイオン発生部１０８が配置されている。上記ガイド部７０によって、送風ファン６により風通路Ｐ１に送られた風がイオン発生装置１０７のイオン発生部１０８を通過するときの風速を増速させる。
【００７４】
あるいは、図１５は他の実施形態のヘアドライヤの縦断面の模式図を示しており、このヘアドライヤは、イオン発生装置の位置を除いて図１３に示すヘアドライヤと同一の構成をしており、同一構成部は同一参照番号を付して説明を省略する。
【００７５】
図１５に示すように、風通路Ｐ１内かつ吸込口１２側に、吸込口１２側から吐出口１１側に向かって先細りのラッパ形状の風速増速部の一例として集風部６０を設けている。また、集風部６０の内側に、イオン発生装置２０７が配置されている。上記集風部６０によって、送風ファン６により風通路Ｐ１に送られた風がイオン発生装置２０７のイオン発生部２０８を通過するときの風速を増速させる。
【００７６】
上記図１２〜図１５では、吸込口１２側から吐出口１１側に向かう方向に対して略直角方向かつ上方に向かってイオン発生部１０８,２０８の針電極が突出したイオン発生装置１０７,２０７を用いたが、第１〜第４実施形態と同様に前面側(吐出口１１側)に針電極が突出するイオン発生装置を用いてもよい。
【００７７】
また、上記第１〜第４実施形態および図１２〜図１５の他の実施形態に示す集風部２０,吸込口１１２,風速増速用風通路Ｐ１２,絞り部４０,仕切板５０,集風部６０およびガイド部７０のうちの少なくとも２つ以上を適宜組み合わせて風速増速部を構成してもよい。あるいは、上記第１〜第４実施形態および図１２〜図１５の他の実施形態に示す集風部２０,吸込口１１２,風速増速用風通路Ｐ１２,絞り部４０,仕切板５０,集風部６０およびガイド部７０のうちの少なくとも１つ以上と他の形態の風速増速部とを適宜組み合わせてもよい。
【００７８】
また、上記第１〜第４実施形態図１２〜図１５の他の実施形態では、マイナスイオンとプラスイオンとを生成するイオン発生部８,１０８,２０８を有するイオン発生装置７,１０７,２０７を備えたヘアドライヤについて説明したが、イオン発生装置はこれに限らず、マイナスイオンを生成するイオン発生部を有するイオン発生装置を備えたヘアドライヤにこの発明を適用してもよい。この場合、イオン発生装置のイオン発生部近傍でのマイナスイオンの滞留によってイオン発生が抑制されるのを防ぐことにより、イオン発生部から次々にマイナスイオンが吐出されるので、イオン量を増大できる。
【００７９】
この発明の具体的な実施の形態について説明したが、この発明は上記第１〜第４実施形態および図１２〜図１５に示す他の実施の形態に限定されるものではなく、この発明の範囲内で種々変更して実施することができる。
【符号の説明】
【００８０】
１…筐体
２…ハンドル
３,１０３…吸気フィルタ
４…電源コード
７,１０７,２０７…イオン発生装置
８,１０８,２０８…イオン発生部
１０…仕切板
１１…吐出口
１２,１１２…吸込口
１５…プラスイオン発生部
１６…マイナスイオン発生部
２０…集風部
３０…吸込口
４０…絞り部
５０…仕切板
６０…集風部
７０…ガイド部
Ｐ１,Ｐ１１,Ｐ２１…風通路
Ｐ１２…風速増速用風通路
【図１】
0005986735.tif 000003
【図２】
0005986735.tif 000004
【図３】
0005986735.tif 000005
【図４】
0005986735.tif 000006
【図５】
0005986735.tif 000007
【図６】
0005986735.tif 000008
【図７】
0005986735.tif 000009
【図８】
0005986735.tif 000010
【図９】
0005986735.tif 000011
【図１０】
0005986735.tif 000012
【図１１】
0005986735.tif 000013
【図１２】
0005986735.tif 000014
【図１３】
0005986735.tif 000015
【図１４】
0005986735.tif 000016
【図１５】
0005986735.tif 000017